(57)【特許請求の範囲】
【請求項１】
脈流成分を含む直流電圧を昇圧する昇圧チョッパ回路部と、
第１のスイッチング素子と第２のスイッチング素子との直列接続からなり、前記第１のスイッチング素子と前記第２のスイッチング素子とに駆動信号が入力されることにより前記第１のスイッチング素子と前記第２のスイッチング素子とが発振し、この発振によって、前記昇圧チョッパ回路部が昇圧した直流電圧を高周波電圧に変換し、変換した高周波電圧を放電灯に供給するインバータ回路部と
を備えた放電灯点灯装置の前記インバータ回路部の前記第１のスイッチング素子と前記第２のスイッチング素子との発振動作を制御するインバータ制御ＩＣにおいて、
一つの半導体基板から構成され、前記半導体基板には、
明るさ制御信号を入力し、前記第１のスイッチング素子と前記第２のスイッチング素子との発振動作を制御するインバータ制御信号であって、入力した前記明るさ制御信号に対応するインバータ制御信号を生成して出力する制御部と、
前記放電灯の累積点灯時間に応じて前記放電灯の光出力を制御する処理である初期照度補正を実行することにより、前記明るさ制御信号を出力する初期照度補正部と、
前記放電灯を調光する調光信号を入力し、入力した前記調光信号を前記明るさ制御信号に変換して出力する調光信号変換部と、
前記制御部と前記初期照度補正部との接続と、前記制御部と前記調光信号変換部との接続とを切り替えることにより、前記明るさ制御信号の出力元を前記初期照度補正部と前記調光信号変換部とのいずれかに切り替える前記切替部と、
前記制御部によって出力された前記インバータ制御信号を入力し、入力した前記インバータ制御信号を前記駆動信号に変換し、変換した前記駆動信号を前記第１のスイッチング素子と前記第２のスイッチング素子とに入力する高耐圧のドライブ回路と
が形成されていることを特徴とするインバータ制御ＩＣ。
【請求項２】
脈流成分を含む直流電圧を昇圧する昇圧チョッパ回路部と、
第１のスイッチング素子と第２のスイッチング素子との直列接続からなり、前記第１のスイッチング素子と前記第２のスイッチング素子とに駆動信号が入力されることにより前記第１のスイッチング素子と前記第２のスイッチング素子とが発振し、この発振によって、前記昇圧チョッパ回路部が昇圧した直流電圧を高周波電圧に変換し、変換した高周波電圧を放電灯に供給するインバータ回路部と、
前記第１のスイッチング素子と前記第２のスイッチング素子との発振動作を制御するインバータ制御信号を入力し、入力した前記インバータ制御信号を前記駆動信号に変換し、変換した前記駆動信号を前記第１のスイッチング素子と前記第２のスイッチング素子とに入力する高耐圧のドライブ回路と
を備えた放電灯点灯装置の前記インバータ回路部の前記第１のスイッチング素子と前記第２のスイッチング素子との発振動作を制御するインバータ制御ＩＣにおいて、
一つの半導体基板から構成され、前記半導体基板には、
明るさ制御信号を入力し、入力した前記明るさ制御信号に対応する前記インバータ制御信号を生成して前記ドライブ回路に出力する制御部と、
前記放電灯の累積点灯時間に応じて前記放電灯の光出力を制御する処理である初期照度補正を実行することにより、前記明るさ制御信号を出力する初期照度補正部と、
前記放電灯を調光する調光信号を入力し、入力した前記調光信号を前記明るさ制御信号に変換して出力する調光信号変換部と、
前記制御部と前記初期照度補正部との接続と、前記制御部と前記調光信号変換部との接続とを切り替えることにより、前記明るさ制御信号の出力元を前記初期照度補正部と記調光信号変換部とのいずれかに切り替える前記切替部と
が形成されていることを特徴とするインバータ制御ＩＣ。
【請求項３】
請求項１と請求項２とのいずれかのインバータ制御ＩＣを備えたことを特徴とする放電灯点灯装置。
【請求項４】
前記請求項１記載のインバータ制御ＩＣを備えた放電灯点灯装置と、
前記制御部と前記初期照度補正部との接続と、前記制御部と前記調光信号変換部との接続とを、前記切替部に切り替えさせる制御ユニットと
を備えたことを特徴とする照明制御システム。
【発明の詳細な説明】
【技術分野】
【０００１】
この発明は、インバータ回路部により放電灯を点灯させる放電灯点灯装置であって初期照度補正機能と連続調光機能とを有する放電灯点灯装置に使用されるインバータ制御ＩＣ及びそのインバータ制御ＩＣを備えた放電灯点灯装置に関する。
【背景技術】
【０００２】
図１４は、従来の放電灯点灯装置の例を示す（例えば特許文献１）。この図１４の回路構成は、特許文献１に開示されており（特許文献１の図３、図４等）、一般的に見られる構成である。特許文献１に見られる初期照度補正機能を照明インバータ装置（インバータ回路部を有する放電灯点灯装置）に搭載する場合、放電灯点灯装置の構成部品を取り付ける取付基板の面積の増加を避ける事ができない。
【０００３】
また、照明インバータ装置は、ランプ（放電灯）の形状による形状的制約が大きく、容易に取付基板のサイズを大きくできない。また、取付基板において狭い場所に構成部品を無理に詰め込むことはコストの増大を招き、結果的に実現性が乏しくなってしまうという課題がある。また、初期照度補正機能に加えて連続調光機能を搭載したいという要請もある。インバータ回路部で放電灯を点灯させる放電灯点灯装置に、初期照度補正に加え連続調光機能を加えた場合は、さらに部品を取り付けるためのスペースの確保が厳しくなる。
【特許文献１】特開２００５−５０６４７号公報
【発明の開示】
【発明が解決しようとする課題】
【０００４】
この発明は、インバータ回路部により放電灯を点灯させる放電灯点灯装置に初期照度補正機能と連続調光機能とをもたせた場合にも、構成部品を取り付ける取付基板の面積の増加を抑えることが可能な放電灯点灯装置を提供することを目的とする。
【課題を解決するための手段】
【０００５】
この発明のインバータ制御ＩＣは、
脈流成分を含む直流電圧を昇圧する昇圧チョッパ回路部と、
前記昇圧チョッパ回路部が昇圧した直流電圧を発振動作によって高周波電圧に変換し、変換した高周波電圧を放電灯に供給するインバータ回路部と
を備えた放電灯点灯装置の前記インバータ回路部の発振動作を制御するＩＣであるインバータ制御ＩＣにおいて、
一つの半導体基板から構成され、前記半導体基板には前記インバータ回路部の発振動作を制御するインバータ制御信号を生成する制御部と、前記放電灯の累積点灯時間に応じて前記放電灯の光出力を制御する処理である初期照度補正を実行する初期照度補正部と、前記放電灯を調光する調光信号を入力して所定の信号に変換する調光信号変換部とが形成されているとともに、前記制御部と前記初期照度補正部との接続と、前記制御部と前記調光信号変換部との接続とが切り替え可能であることを特徴とする。
【発明の効果】
【０００６】
この発明により、取付基板の面積の増加を抑え、低コストな放電灯点灯装置を提供することができる。
【発明を実施するための最良の形態】
【０００７】
以下に実施の形態を説明するが、以下の実施の形態は、インバータ制御ＩＣによりインバータ回路部を動作させる放電灯点灯装置であって「初期照度補正機能」と「連続調光機能」とを有する放電灯点灯装置に関するものである。以下の実施の形態で説明する放電灯点灯装置は、このインバータ制御ＩＣに、「初期照度補正機能」を実行する初期照度補正部５１と、調光信号を入力して後述の明るさ制御信号に変換する「調光Ｉ／Ｆ部５２」とを切り替え可能に形成したことを特徴とする。
【０００８】
初期照度補正機能と連続調光機能とを図１を参照して説明する。これらは公知の技術であるので簡単に説明する。なお以下の実施の形態１〜実施の形態３では連続調光について説明するが、連続でない段階的な調光でも、以下の実施の形態１〜実施の形態３は同様に適用可能である。
【０００９】
まず、「初期照度補正」とは、「放電灯の累積点灯時間に応じて放電灯の光出力を制御する処理」である。図１（ａ）は、放電灯ＬＡの点灯時の電力を一定にした場合の、累積点灯時間（０時間〜１２０００時間）と光束の関係を示した特性図である。横軸が放電灯ＬＡの累積点灯時間を示し、縦軸が光束を示す。図１（ａ）に示すように、放電灯ＬＡの光束は累積点灯時間の経過に伴って低下する。図１（ｂ）は、累積点灯時間の経過に伴って放電灯ＬＡの電力を増加することを示す図である。横軸が累積点灯時間を示し、縦軸が放電灯の電力を示す。放電灯ＬＡの光量が累積点灯時間に伴って低下することを抑制するため、図１（ｂ）のように、累積点灯時間が短い時は放電灯ＬＡの電力を全光の１００％よりも抑制し（例えば７０％：７０％調光）、累積点灯時間の経過に伴って放電灯ＬＡの電力を増加していく。このような制御により、図１（ｃ）のように、累積点灯時間の経過によっても、放電灯ＬＡの光出力が概略一定になる。このような放電灯の光出力の制御は、「初期照度補正」と呼ばれる。光出力の制御はインバータ回路部の発振周波数の制御により行なう。
【００１０】
また、「連続調光制御」とは、放電灯ＬＡを使用中（例えば図１（ｂ）の時刻Ｔ）において、放電灯ＬＡの光出力を制御（光出力の増減）して、放電灯ＬＡの明るさを制御することをいう。「連続調光」における光出力の制御も「初期照度補正」と同様に、インバータ回路部の発振周波数の制御により行なう。
【００１１】
実施の形態１．
図２〜図５を参照して、実施の形態１を説明する。実施の形態１は、半導体基板９０に初期照度補正部５１と調光Ｉ／Ｆ（Ｉｎｔｅｒ  Ｆａｃｅ）部５２（調光信号変換部）とが切り替え可能に形成されているモノリシックＩＣであるインバータ制御ＩＣ５０を用いた放電灯点灯装置に関する。
【００１２】
図２は、実施の形態１の放電灯点灯装置１００の回路図である。図２において、全波整流回路１０〜負荷回路４０までの構成は、図１４に示す従来例と同じである。従来例との違いは、インバータ制御ＩＣ５０の構成にある。
【００１３】
図２の放電灯点灯装置１００は、全波整流回路１０、昇圧チョッパ回路部２０、インバータ回路部３０、放電灯が装着される負荷回路４０、インバータ制御ＩＣ５０を備える。全波整流回路１０〜負荷回路４０までの構成は、前記のように図１２に示す従来例と同じであるが、図２の放電灯点灯装置１００は、インバータ制御ＩＣ５０が初期照度補正部５１、調光Ｉ／Ｆ部５２、切り替え回路５３（切替部）、制御部５４から形成されている。インバータ制御ＩＣ５０は、一つの半導体基板９０から構成され、この半導体基板９０に初期照度補正部５１、調光Ｉ／Ｆ部５２、切り替え回路５３、制御部５４等が形成されているモノリシックＩＣであることが特徴である。
【００１４】
次に全波整流回路１０〜負荷回路４０を説明する。これらは従来技術であるので簡単に説明する。全波整流回路１０は、商用電源１を脈流成分を含む直流電源に整流する回路であり、ダイオードブリッジなどにより実現される。昇圧チョッパ回路部２０は、この脈流成分を含む直流電圧を昇圧する。インバータ回路部３０は、昇圧チョッパ回路部２０が昇圧した直流電圧をスイッチング素子Ｑ２，Ｑ３の発振動作によって高周波電圧に変換し、変換した高周波電圧を負荷回路４０の放電灯ＬＡに供給する。負荷回路４０は、インバータ回路部３０から高周波電圧の供給を受ける。
【００１５】
次に、インバータ制御ＩＣ５０について説明する。図１４に示した「初期照度補正機能」を有する従来の放電灯点灯装置は、光出力の制御機能を有するマイコンを含む制御部を搭載する場合、ノイズや実装スペースの問題から、取付基板上での構成部品の配置に制約が生じ、ハイブリッドＩＣのような別基板への搭載が必要となる。この場合図２の放電灯点灯装置１００で説明すれば、初期照度補正部５１以外は、一般に連続調光インバータと呼ばれる構成と概略一致し、異なるのは連続調光インバータ外部より調光信号を入力し、調光制御電圧に変換する調光Ｉ／Ｆ（インターフェース）部５２だけとなる（初期照度補正には必要無い為）。つまり、初期照度補正部５１を調光Ｉ／Ｆ部５２に置き替える事で、初期照度機能付きインバータを、連続調光インバータに変更する事ができる。このため、図２のインバータ制御ＩＣ５０では、初期照度補正部５１、調光Ｉ／Ｆ部５２の両方のブロックを内蔵し、外部からの切り替え信号によりブロックを切り替え可能としたことで、通常は初期照度補正機能により省エネルギーモードで動作し、必要に応じて連続調光インバータとして動作できる放電灯点灯装置としたものである。
【００１６】
インバータ制御ＩＣ５０は、インバータ回路部３０の発振動作を制御するＩＣである。インバータ制御ＩＣ５０は、一つの半導体基板９０から構成されるモノリシックＩＣである。図２では、この半導体基板９０に、初期照度補正部５１、調光Ｉ／Ｆ部５２（調光信号変換部制御部）、切り替え回路５３（切替部）、制御部５４が形成されていることを示している。
【００１７】
これらの機能は次の様である。
（１）制御部５４は、インバータ回路部３０の発振動作を制御するインバータ制御信号を生成する。
（２）初期照度補正部５１は、初期照度補正機能を実行し、後述の「明るさ制御信号」を出力する。
（３）調光Ｉ／Ｆ部５２は、放電灯ＬＡを調光する調光信号を入力し、入力した調光信号を後述の「明るさ制御信号」（所定の信号）に変換して出力する。
（４）切り替え回路５３は、制御部５４と初期照度補正部５１との接続と、制御部５４と調光Ｉ／Ｆ部５２との接続とのいずれかの接続を指示する「切り替え入力」（接続指示信号、あるいは切り替え信号という場合がある）を入力する。そして、入力した「切り替え入力」にしたがって、制御部５４と初期照度補正部５１との接続と、制御部５４と調光Ｉ／Ｆ部５２との接続とのいずれかの接続に切り替える。これにより、初期照度補正部５１の出力した「明るさ制御信号」と調光Ｉ／Ｆ部５２の出力した「明るさ制御信号」とのいずれかの「明るさ制御信号」が制御部５４に入力される。制御部５４は、入力した「明るさ制御信号」をもとにインバータ制御信号を生成して出力する。
【００１８】
図３は放電灯点灯装置１００ａの回路図を示す。図３の放電灯点灯装置１００ａは、図２の放電灯点灯装置１００に対して、インバータ制御ＩＣ５０の構成を具体的に示していること、及び、保護回路６０を備えた点が異なる。また、図３には、切り替え入力を発する外部スイッチＳＷ１を記載した。
【００１９】
図３について説明する。インバータ制御ＩＣ５０には、初期照度補正部５１と、調光Ｉ／Ｆ部５２と、アナログスイッチ５３ａ（切替部）と、制御部５４と、高耐圧ドライバ部５５（ドライブ回路）と、力率改善機能部５６とが半導体基板９０に形成されている。これらの機能は次の様である。
（１）力率改善機能部５６は、昇圧チョッパ回路部２０を駆動する力率改善回路（ＰＦＣ）（図示していない）に対して制御を行なう。
（２）高耐圧ドライバ部５５は、制御部５４からインバータ制御信号を入力し、このインバータ制御信号からインバータ回路部３０を駆動する駆動信号を生成してインバータ回路部３０に出力し、インバータ回路部３０を駆動する。
（３）制御部５４は、力率改善機能部５６、高耐圧ドライバ部５５を制御する。
（４）初期照度補正部５１は、初期照度補正を実行し、「明るさ制御信号」を出力する。
（５）調光Ｉ／Ｆ部５２は、外部からの調光信号を入力して所定の信号（「明るさ制御信号」）に変換して出力することにより、放電灯ＬＡの明るさを制御する。
（６）アナログスイッチ５３ａは、初期照度補正部５１と調光Ｉ／Ｆ部５２とからの「明るさ制御信号」を外部からの信号（切り替え入力）によって切り替える。ここで、アナログスイッチ５３ａは、外部スイッチＳＷ１からの電圧入力が”Ｈ”（＝Ｖｃｃ）の場合は初期照度補正部５１からの信号を制御部５４に送り、”Ｌ”（＝ＧＮＤ）の場合は、調光Ｉ／Ｆ部５２からの出力である「明るさ制御信号」を制御部５４に送る。このように外部スイッチＳＷ１を操作することにより、一台の放電灯点灯装置において、初期照度補正機能と連続調光機能とを自由に選んで使用することができる。
【００２０】
次に図３の放電灯点灯装置１００ａの動作を説明する。
（１）初期照度補正部５１と調光Ｉ／Ｆ部５２とはいずれも「明るさ制御信号」を出力する。この場合、アナログスイッチ５３ａにより初期照度補正部５１が制御部５４と接続している場合には、初期照度補正が実行できる。また、アナログスイッチ５３ａにより調光Ｉ／Ｆ部５２が制御部５４と接続している場合には連続調光を実行できる。
（２）初期照度補正部５１による初期照度補正も、調光Ｉ／Ｆ部５２による連続調光も、インバータ回路部３０の動作周波数、すなわち、インバータ回路部３０のスイッチング素子Ｑ２，Ｑ３の発振周波数を制御する点で同じである。
（３）すなわち、インバータ回路部３０のスイッチング素子Ｑ２，Ｑ３の発振周波数を制御することにより放電灯ＬＡの明るさを制御するものである。よって、初期照度補正部５１が出力する「明るさ制御信号」も調光Ｉ／Ｆ部５２が出力する「明るさ制御信号」も、制御部５４にとっては、初期照度補正部５１が出力したものか調光Ｉ／Ｆ部５２が出力したものかの区別はない。この「明るさ制御信号」とは、制御部５４に、その「明るさ制御信号」に対応する周波数でインバータ回路部３０のスイッチング素子Ｑ２，Ｑ３を発振させるインバータ制御信号を作成させるための信号である。
（４）制御部５４は、その「明るさ制御信号」を入力すると、その「明るさ制御信号」に対応する周波数でインバータ回路部３０のスイッチング素子Ｑ２，Ｑ３を発振させるインバータ制御信号を生成して、高耐圧ドライバ部５５に出力する。高耐圧ドライバ部５５はインバータ制御信号を入力し、入力したインバータ制御信号に基づき駆動信号を生成し、この駆動信号によりインバータ回路部３０のスイッチング素子Ｑ２，Ｑ３を駆動する。
【００２１】
次に、図４を用いて実施の形態１の放電灯点灯装置１００ｂを説明する。この放電灯点灯装置１００ｂは、放電灯点灯装置１００ａに対してリモコン受信回路７０ａを備え、リモコン操作によりアナログスイッチ５３ａを切り替える構成である。
【００２２】
リモコン７００は、連続調光のための操作部７１０と、初期照度補正と連続調光とのいずれかを選択可能な選択スイッチ７２０とを備えている。
（１）リモコン７００は、選択スイッチ７２０によりユーザが初期照度補正機能を選択した場合には初期照度補正部５１を制御部５４と接続するべきリモコン信号を送信し、ユーザが連続調光機能を選択した場合には調光Ｉ／Ｆ部５２を制御部５４と接続するべきリモコン信号を送信する。
（２）また、リモコン７００は、ユーザが連続調光機能のための操作部７１０を操作した場合には、調光信号を送信する。
【００２３】
リモコン受信回路７０ａは，ユーザのリモコン操作によるリモコン信号を受信する。
（１）リモコン受信回路７０ａは、アナログスイッチ５３ａに信号（接続指示信号）を送ることによって、初期照度補正機能と連続調光機能とを切り替える。リモコン受信回路７０ａは、リモコン７００から初期照度補正部５１を制御部５４と接続するべきリモコン信号を受信した場合には、その旨の接続切替信号をアナログスイッチ５３ａに出力する。これによりアナログスイッチ５３ａは、初期照度補正部５１を制御部５４とを接続する。同様に、リモコン受信回路７０ａが調光Ｉ／Ｆ部５２を制御部５４と接続するべきリモコン信号を受信した場合にはその旨の接続切替信号をアナログスイッチ５３ａに出力し、これにより、アナログスイッチ５３ａは調光Ｉ／Ｆ部５２を制御部５４と接続する。
（２）ユーザがリモコン７００において連続調光機能を選択することによりリモコン７００から調光信号が送信された場合には、リモコン受信回路７０ａは、リモコンから送信された調光信号を受信し、この受信した調光信号を調光Ｉ／Ｆ部５２に送る。これ以降は、図３の説明で述べたように、調光Ｉ／Ｆ部５２が調光信号を「明るさ制御信号」に変換し、リモコン７００側で指定された調光レベルに相当する「明るさ制御信号」をアナログスイッチ５３ａを介して制御部５４へと送る。また、図５に示す放電灯点灯装置１００ｃのように、リモコン受信回路７０ｂからの信号を制御部５４で受け、制御部５４がアナログスイッチ５３ａへ接続指示信号を出力し、あるいは制御部５４が調光Ｉ／Ｆ部５２へ制御信号（調光信号）を出力する構成としても良い。
【００２４】
実施の形態１の放電灯点灯装置は、インバータ制御ＩＣ５０に初期照度補正部５１、調光Ｉ／Ｆ部５２を内蔵し、両者を外部より切り替え可能の構成としたので、必要な場合のみそれぞれの機能を有効にする事ができ、基板面積の増加を抑え、低コストな放電灯点灯装置を実現することができる。
【００２５】
以上のように実施の形態１の放電灯点灯装置は、初期照度補正機能と連続調光インバータ用の調光Ｉ／Ｆ機能をインバータ制御ＩＣに取りこみ、力率補正回路、高耐圧ドライバなどと一体化することで、初期照度補正機能と連続調光機能の両方の機能を持った放電灯点灯装置の小型化、低コスト化を可能とする。
【００２６】
実施の形態２．
次に図６〜図１１を用いて実施の形態２を説明する。実施の形態２は調光信号を切り替え回路５３の切り替え信号として用いる放電灯点灯装置に関する。
【００２７】
図６は、実施の形態２における放電灯点灯装置２００の回路図である。放電灯点灯装置２００の回路構成は、図２に示した放電灯点灯装置１００に対して、インバータ制御ＩＣ５０が、さらに、調光信号判定部５７を備えた点が異なる。放電灯点灯装置２００のインバータ制御ＩＣ５０は、初期照度補正部５１と調光Ｉ／Ｆ部５２との両方のブロックを内蔵する。インバータ制御ＩＣ５０は、調光信号を外部から入力するが、調光信号を外部から入力する場合、調光信号判定部５７が、所定の調光信号かどうかを判定する。「所定の調光信号」とは、切り替え回路５３に対して初期照度補正部５１と接続することを指示する調光信号、あるいは、調光Ｉ／Ｆ部５２と接続することを指示する調光信号である。調光信号判定部５７は、調光信号がこれらを指示する調光信号と判定した場合には、その指示に応じた接続指示信号を切り替え回路５３に出力する。切り替え回路５３は、その接続指示信号にしたがって、初期照度補正部５１あるいは調光Ｉ／Ｆ部５２と接続する。これにより、放電灯点灯装置２００は、通常は初期照度補正機能による省エネルギーモードで動作し、必要に応じて、所定の調光信号によって連続調光インバータとして動作させることができる。
【００２８】
次に図７の放電灯点灯装置２００ａの構成について説明する。図７の放電灯点灯装置２００ａは，図６の放電灯点灯装置２００のインバータ制御ＩＣ５０の構成を具体的に示した構成である。この放電灯点灯装置２００ａの構成は、図３の放電灯点灯装置１００ａに対して、放電灯点灯装置２００ａのインバータ制御ＩＣ５０が放電灯点灯装置１００ａのインバータ制御ＩＣ５０に対して、調光信号判定部５７ａを備えている。他の構成は、放電灯点灯装置１００ａと同様である。
【００２９】
次に図７の放電灯点灯装置２００ａの動作を説明する。図７に示すように調光信号は、調光Ｉ／Ｆ部５２と調光信号判定部５７ａとの両者に入力される。調光信号判定部５７ａは、入力した調光信号の平均値が一定値以下の場合にはアナログスイッチ５３ａに”Ｈ”（接続指示信号）を出力する。この動作は、コンパレータ５８が基準電圧源５９と調光信号の平均値とを比較することにより実現する。アナログスイッチ５３ａは、”Ｈ”の信号を入力すると、初期照度補正部５１側に切り替わる。これにより、調光信号の平均値が一定値以下の場合、初期照度補正機能を有効にできる。調光信号の平均値が一定値を超える場合には、連続調光インバータとして放電灯点灯装置２００ａを操作することができる。また、コンパレータ５８としてウィンドゥコンパレータなどを使用することにより、調光信号の平均値が一定の範囲内の場合に切り替えるなどの操作も可能となる。
【００３０】
次に図８の放電灯点灯装置２００ｂの構成について説明する。図８の放電灯点灯装置２００ｂは，図７の放電灯点灯装置２００ａに対して、調光信号判定部５７ａの機能を変更し、「調光信号切り替えの繰り返し検出回路５７ｂ−１」を備えた
調光信号判定部５７ｂとした構成である。他の構成は、図７の放電灯点灯装置２００ａと同様である。
【００３１】
図８の放電灯点灯装置２００ｂの動作について説明する。調光信号判定部５７ｂの「調光信号切り替えの繰り返し検出回路５７ｂ−１」は、入力した調光信号が一定のパターンを繰り返す場合に、”Ｈ”（Ｈｉｇｈ）の信号（接続指示信号）を出力する。アナログスイッチ５３ａは、Ｈ”の信号を入力すると初期照度補正部５１側に切り替わる。これにより調光信号が一定のパターンで繰り返された場合に、初期照度補正機能を有効にでき、それ以外の場合、放電灯点灯装置２００ｂを連続調光インバータとして操作することができる。また、このパターンを人の目に見えない程度か、あるいはインバータの応答速度以上で行う事で、ランプの動作に影響を及ぼさずに操作をする事が可能となる。
【００３２】
図９は、複数の放電灯点灯装置２００ａと、接続指示信号としての調光信号を出力可能な制御ユニット５００ａとを備えた照明制御システムを示す図である。制御ユニット５００ａは、前記の調光信号判定部５７ａに対応した「所定の調光信号」を出力可能である。また、図示はしていないが、制御ユニット５００ａを前記の調光信号判定部５７ｂに対応した調光信号（切り返しパターン）を出力可能な制御ユニット５００ｂとし、放電灯点灯装置２００ａを放電灯点灯装置２００ｂに置き換えた照明制御システムとすることも可能である。これらの照明制御システムにより、複数の放電灯点灯装置を同時に制御することができる。
【００３３】
図１０は、インバータ制御ＩＣ５０の半導体基板９０の初期照度補正部５１に、放電灯の累積点灯時間を不揮発的に記録する不揮発メモリ５１−１が形成されている場合を示している。図１０は、インバータ制御ＩＣ５０のみを示し、他の構成要素は省略している。調光Ｉ／Ｆ部５２は、制御部５４と接続されている状態において、不揮発メモリに記録されている累積点灯時間をリセットするべき旨の所定の調光信号を入力した場合には、この所定の調光信号を、不揮発メモリ５１−１が記録した放電灯の累積点灯時間のリセットを指示するリセット信号に変換して出力する。制御部５４はリセット信号を入力すると不揮発メモリ５１−１に放電灯の累積点灯時間のリセットを指示するリセット制御信号を出力する。不揮発メモリ５１−１は、リセット制御信号を入力すると記録した放電灯の累積点灯時間をリセットする。このように、不揮発メモリ５１−１は、調光Ｉ／Ｆ部５２によるリセット信号の出力に対応して放電灯の累積点灯時間をリセットする。
【００３４】
実施の形態２の放電灯点灯装置は、インバータ制御ＩＣ５０に初期照度補正部５１、調光Ｉ／Ｆ部５２を内蔵し、所定の調光信号により両者を切り替え可能な構成としたので、特に専用の切り替え装置を設けることなく、必要な場合にのみそれぞれの機能を有効にする事ができ、基板面積の増加を抑え、低コストな放電灯点灯装置を提供することができる。
【００３５】
実施の形態２の放電灯点灯装置では、調光Ｉ／Ｆ部５２が出力したリセット信号に基づいて、不揮発メモリに記録されている放電灯の累積点灯時間をリセットする。このため、新たな構成部品を必要とすることなく累積点灯時間をリセットすることができる。
【００３６】
実施の形態２の照明制御システムは、制御ユニットが出力した調光信号に基づいて、それぞれの放電灯点灯装置が制御部５４と初期照度補正部５１との接続と、制御部５４と調光Ｉ／Ｆ部５２との接続とを切り替えるので、複数の放電灯点灯装置を同時に制御することができる。
【００３７】
実施の形態３．
次に図１１〜図１３を参照して実施の形態３を説明する。図１１は実施の形態３における放電灯点灯装置３００の回路構成を示す回路図である。実施の形態３の放電灯点灯装置３００は、初期照度補正部５１と調光Ｉ／Ｆ部５２とが形成されたインバータ制御ＩＣ５０と、インバータ回路部３０を駆動する高耐圧ドライバ部５５（ドライブ回路）とを別々の部品としたことを特徴とする。このように実施の形態３の放電灯点灯装置３００は、初期照度補正部５１と調光Ｉ／Ｆ部５２との両方のブロックを内蔵し調光信号を外部から入力するインバータ制御ＩＣ５０を備えた放電灯点灯装置であって、このインバータ制御ＩＣ５０は力率改善機能部５６、制御部５４を内蔵する。そして、放電灯点灯装置３００では、このインバータ制御ＩＣ５０と、高耐圧が必要となる高耐圧ドライバ部５５とを別の部品としている。別々の部品とすることで、後述の図１３で述べるように、取付基板の商用電源の電源端子から、インバータ制御ＩＣ５０よりも高耐圧ドライバ部５５を遠い位置に配置可能とする事を特徴とする。
【００３８】
次に図１２の放電灯点灯装置３００ａについて説明する。図１２の放電灯点灯装置３００ａは、図１１の放電灯点灯装置３００に外部スイッチＳＷ１と保護回路６０とを加えた構成である。図１２の放電灯点灯装置３００ａは、図３の放電灯点灯装置１００ａおいて、放電灯点灯装置１００ａのインバータ制御ＩＣ５０に含まれる高耐圧ドライバ部５５をインバータ制御ＩＣと別部品とした構成である。
【００３９】
高耐圧ドライバ部５５の動作は、図３の放電灯点灯装置１００ａで説明したのと同様である。すなわち、高耐圧ドライバ部５５は、制御部５４からインバータ制御信号を入力し、このインバータ制御信号からインバータ回路部３０を駆動する駆動信号を生成してインバータ回路部３０に出力し、インバータ回路部３０を駆動する。
【００４０】
図１２について説明する。インバータ制御ＩＣ５０は、力率改善回路（ＰＦＣ）（図示していない）を制御する力率改善機能部５６、力率改善機能部５６を制御すると共にインバータ制御ＩＣ５０外部の高耐圧ドライバ部５５を介してインバータ回路部３０を制御する制御部５４、初期照度補正を行う初期照度補正部５１、外部からの調光信号により明るさを制御する調光Ｉ／Ｆ部５２、初期照度補正部５１あるいは調光Ｉ／Ｆ部５２からの「明るさ制御信号」を外部からの信号によって切り替えるアナログスイッチ５３ａからなる。
【００４１】
図１３は、放電灯点灯装置３００ａを構成する部品が取り付けられた取付基板６００の外観を示す。図１３に示すように、インバータ制御ＩＣ５０と高耐圧ドライバ部５５とを別の部品としている。図１３に示すように、放電灯点灯装置３００ａは、略長方形の取付基板６００と、取付基板６００の長手方向の一方側に配置される入力端子と、取付基板６００の長手方向の他方側に配置される出力端子と、インバータ制御ＩＣ５０を備えるとともに入力端子側に配置される昇圧チョッパ回路部と、インバータ制御ＩＣ５０が出力するインバータ制御信号を受けて動作する高耐圧ドライバ部５５（ドライブ回路）を備えるとともに前記出力端子側に配置されるインバータ回路部とを備える。このように、インバータ制御ＩＣ５０と高耐圧ドライバ部５５とを別の部品とすることにより、取付基板６００上において商用電源入力側（電源端子）からみてインバータ制御ＩＣ５０、高耐圧ドライバ部５５の順で配置することが可能となり、取付基板の商用電源（電源端子）に対してインバータ制御ＩＣ５０よりも高耐圧ドライバ部５５を遠い位置に配置することができる。これによって、取付基板６００上の配置を最適化することができ、余分な配線領域によるデッドスペースを減らす事ができる。
【００４２】
実施の形態３の放電灯点灯装置は、インバータ制御ＩＣ５０に初期照度補正部５１、調光Ｉ／Ｆ部５２を内蔵し、外部より切り替え可能な構成とする事で必要な場合のみそれぞれの機能を有効にする事ができるとともに、高耐圧ドライバ部５５をインバータ制御ＩＣ５０と別部品としたので、より細い取付基板でも、構成部品を回避する為の配線が占めるデッドスペースを無くし、取付基板の面積の増加を抑え、低コストな放電灯点灯装置を提供することができる。
【図面の簡単な説明】
【００４３】
【図１】実施の形態１における初期照度補正と連続調光とを説明する図。
【図２】実施の形態１における放電灯点灯装置１００の回路図。
【図３】実施の形態１における放電灯点灯装置１００ａの回路図。
【図４】実施の形態１における放電灯点灯装置１００ｂの回路図。
【図５】実施の形態１における放電灯点灯装置１００ｃの回路図。
【図６】実施の形態２における放電灯点灯装置２００の回路図。
【図７】実施の形態２における放電灯点灯装置２００ａの回路図。
【図８】実施の形態２における放電灯点灯装置２００ｂの回路図。
【図９】実施の形態２における照明制御システムの構成図。
【図１０】実施の形態２における不揮発メモリを備えた初期照度補正部を示す図。
【図１１】実施の形態３における放電灯点灯装置３００の回路図。
【図１２】実施の形態３における放電灯点灯装置３００ａの回路図。
【図１３】実施の形態３における基板配置を示す図。
【図１４】従来の技術を示す図。
【符号の説明】
【００４４】
ＬＡ  放電灯、Ｌ１，Ｌ２  チョークコイル、Ｃ１，Ｃ２，Ｃ３，Ｃ４  コンデンサ、Ｑ１，Ｑ２，Ｑ３  スイッチング素子、Ｄ１  ダイオード、ＳＷ１  外部スイッチ、１  商用電源、１０  全波整流回路、２０  昇圧チョッパ回路部、３０  インバータ回路部、４０  負荷回路、５０  インバータ制御ＩＣ、５１  初期照度補正部、５１−１  不揮発メモリ、５２  調光Ｉ／Ｆ部、５３  切り替え回路、５３ａ  アナログスイッチ、５４  制御部、５５  高耐圧ドライバ部、５６  力率改善機能部、５７，５７ａ，５７ｂ  調光信号判定部、５７ｂ−１  調光信号切り替えの繰り返し検出回路、５８  コンパレータ、５９  基準電圧源、６０  保護回路、７０ａ，７０ｂ  リモコン受信回路、９０  半導体基板、１００，１００ａ，１００ｂ，１００ｃ，２００，２００ａ，２００ｂ，３００，３００ａ  放電灯点灯装置、５００ａ，５００ｂ  制御ユニット、６００  取付基板、７００  リモコン、７１０  操作部、７２０  選択スイッチ。
【図１】
0004668106.tif 000002
【図２】
0004668106.tif 000003
【図３】
0004668106.tif 000004
【図４】
0004668106.tif 000005
【図５】
0004668106.tif 000006
【図６】
0004668106.tif 000007
【図７】
0004668106.tif 000008
【図８】
0004668106.tif 000009
【図９】
0004668106.tif 000010
【図１０】
0004668106.tif 000011
【図１１】
0004668106.tif 000012
【図１２】
0004668106.tif 000013
【図１３】
0004668106.tif 000014
【図１４】
0004668106.tif 000015